(57)【要約】【課題】使用者が、最上部に排紙トレイを備えた用紙カセットに用紙を載置する作業を容易にできないという課題がある。【解決手段】筐体に着脱可能に装着され、第１の記録媒体である用紙Ｐ１を載置する第１の載置部としての下段トレイ３を有する記録媒体カセットとしての用紙カセット２と、用紙カセット２に載置された用紙Ｐ１を給送する給送ローラーと、給送ローラーによって給送された用紙Ｐ１に記録する記録部と、を備え、用紙カセット２は、下段トレイ３の上方に着脱可能に備えられ、記録部から排出された用紙Ｐ１を載置する排出トレイ５を備えた記録装置を提供する。【選択図】図２
2014076883.tif 000002
【特許請求の範囲】
【請求項１】
筐体に着脱可能に装着され、第１の記録媒体を載置する第１の載置部を有する記録媒体カセットと、
前記第１の載置部に載置された前記第１の記録媒体を給送する給送ローラーと、
前記給送ローラーによって給送された前記第１の記録媒体に記録する記録部と、を備え、
前記記録媒体カセットは、前記第１の載置部の鉛直方向上側に着脱可能に備えられ、前記記録部から排出された前記第１の記録媒体を載置する記録媒体受け部を備えたことを特徴とする記録装置。
【請求項２】
請求項１に記載の記録装置であって、
前記記録媒体受け部は、外周部に立設する受け部側壁部を有し、前記第１の載置部は、外周部に立設する載置部側壁部を有し、前記記録媒体受け部が前記第１の載置部に装着された状態において、受け部側壁部と載置部側壁部とは、前記第１の記録媒体の幅方向または給送方向に対向することを特徴とする記録装置。
【請求項３】
請求項１に記載の記録装置であって、
前記記録媒体受け部と前記第１の載置部のうちの一方の端部には突出部が設けられ、他方の端部には凹部が設けられ、前記記録媒体受け部が前記第１の載置部に装着された状態において、前記突出部は、前記凹部に挿入することを特徴とする記録装置。
【請求項４】
請求項１に記載の記録装置であって、
前記記録媒体受け部と前記第１の載置部のうちの、一方の端部には磁石が設けられ、他方の端部には、前記磁石と接合可能な鉄部材が設けられたことを特徴とする記録装置。
【請求項５】
請求項１に記載の記録装置であって、
前記記録媒体受け部は、前記第１の載置部に対して回動可能に設けられたことを特徴とする記録装置。
【請求項６】
請求項１から請求項５のいずれか一項に記載の記録装置であって、
前記第１の載置部の鉛直方向上側には、第２の記録媒体を載置し、前記第１の載置部と前記記録媒体受け部との間に回動可能に設けられ、前記給送方向における長さが前記第１の載置部より短く、前記第１の載置部において前記給送方向にスライドする第２の載置部を備え、
前記第２の載置部が前記給送方向における上流側の位置にあるとき、前記第１の記録媒体は、前記第１の記録媒体に当接する前記給送ローラーによって給送され、
前記第２の載置部が前記給送方向における下流側の位置にあるとき、前記第２の記録媒体は、前記第２の記録媒体に当接する前記給送ローラーによって給送されることを特徴とする記録装置。
【発明の詳細な説明】
【技術分野】
【０００１】
本発明は、記録装置に関する。
【背景技術】
【０００２】
プリンター、複写機などの記録装置には、装置本体に対して着脱可能な記録媒体カセットを備えたものがある。記録媒体カセットには、用紙などの記録媒体が積載され、最上部の用紙に給送ローラーが回転しながら当接し、装置本体内部に用紙が給送される。
このような記録媒体カセットには、上段トレイ、下段トレイを二段重ね、異なるサイズの用紙や異なる種類の用紙をそれぞれのトレイに載置するものがある。さらに、上段トレイの上方に、印刷されて排紙された用紙を受け取る排紙トレイを備えた記録媒体カセットがある。
【０００３】
例えば、特許文献１における用紙カセットは、図１５（ａ）に示すように、下段トレイ８１に上段トレイ８２を上方に重ねて備え、さらに、上段トレイ８２の上方に記録されて排出された用紙を受ける排紙トレイ８３を備える。図１５（ａ）に示すように、上段トレイ８２が給送方向Ｘ上流側（図面左側）に位置するとき、下段トレイ８１における給送方向Ｘの下流側が露出し、下段トレイ８１に載置された用紙Ｐ１１は、回転する給送ローラー（不図示）に当接し、給送方向Ｘに給送される。
【０００４】
用紙カセット８０には、上段トレイ８２の給送方向Ｘの移動をロックするロック機構が備えられ、上段トレイ８２には、このロック機構を解除するための固定部８２４と操作レバー８２５が設けられる。使用者は、排紙トレイ８３に設けられた開口部８３０に露出した固定部８２４と操作レバー８２５とを指で挟むようにして操作してロック機構を解除し、上段トレイ８２を、下段トレイ８１に対して給送方向Ｘにスライド移動させ、図１５（ｂ）に示すように、上段トレイ８２を給送方向Ｘの下流側（図面右側）に位置させる。上段トレイ８２に載置された用紙Ｐ１０は、回転する給送ローラーと当接し、給送方向Ｘに給送される。
【０００５】
排紙トレイ８３は、下段トレイ８１の壁部に設けられた軸受孔８１０に回動可能な回動軸Ｓ１０を備える。上段トレイ８２は、給送方向Ｘに延びるガイド部（不図示）に支持されて移動するスライド部８２０と、回動軸Ｓ１１を有し、スライド部８２０に回動可能に連結された載置部８２１とから構成される。上段トレイ８２が、図１５（ａ）の給送方向Ｘの上流側の位置にあるとき、排紙トレイ８３の回動軸Ｓ１０と載置部８２１の回動軸Ｓ１１とは、略同じ位置となる。
【０００６】
使用者が、下段トレイ８１に用紙Ｐ１１を載置しようとするときは、図１５（ａ）の上段トレイ８２が給送方向Ｘの上流側にある状態で、図１６（ａ）に示すように、排紙トレイ８３と載置部８２１とを重ねた状態で回動方向Ｄ１０に回動させ、下段トレイ８１の載置面８１３が露出した状態にする。そして、使用者は、用紙Ｐ１１を載置面８１３に沿わせるようにして給送方向Ｘに移動させ、図１６（ｂ）に示すように、一対のエッジガイド８１１やエッジガイド８１２によって用紙Ｐ１１の端部を規制し、載置面８１３に載置する。
【０００７】
また、使用者が、上段トレイ８２に用紙Ｐ１０を載置しようとするときは、図１５（ｂ）の上段トレイ８２が給送方向Ｘの下流側にある状態で行う。使用者は、用紙Ｐ１０をスライド部８２０の載置面８２１ａに沿わせるようにして給送方向Ｘと反対方向に移動させ、一対のエッジガイド８２２や、排紙トレイ８３に設けられた開口部８３１において露出するエッジガイド８２３によって用紙Ｐ１０の端部を規制し、載置面８２１ａに載置する。
【先行技術文献】
【特許文献】
【０００８】
【特許文献１】特開２０１２−７６８７１号公報
【発明の概要】
【発明が解決しようとする課題】
【０００９】
しかしながら、図１６（ａ）の下段トレイ８１に用紙Ｐ１１を載置する状態にあるとき、下段トレイ８１の載置面８１３の給送方向Ｘの中央部における上方に、上段トレイ８２と排紙トレイ８３とが位置する。すなわち、上から載置面８１３を見ると、載置面８１３が上段トレイ８２と排紙トレイ８３とによって給送方向Ｘにおいて上流側載置面８１３ａと下流側載置面８１３ｂとに分断される。そのため、使用者は、用紙Ｐ１１の給送方向Ｘにおける下流側の端部を、スライド部８２０と載置面８１３との間Ａ１に、上流側載置面８１３ａ側から下流側載置面８１３ｂ側に向かって差し込み、用紙Ｐ１１を載置面８１３に沿って給送方向Ｘに移動させなくてはならない。また、図１５（ｂ）の上段トレイ８２に用紙Ｐ１０を載置する状態にあるとき、載置面８２１ａの給送方向Ｘの上流側における上方に、排紙トレイ８３が位置する。そのため、使用者は、用紙Ｐ１０の給送方向Ｘにおける上流側の端部を、排紙トレイ８３と載置面８２１ａとの間Ａ２に給送方向Ｘにおける下流側から上流側に向かって差し込み、用紙Ｐ１０を載置面８２１ａに載置しなくてはならない。
このように、特許文献１では、使用者が、用紙カセット８０の上段トレイ８２、下段トレイ８１に用紙Ｐ１０，Ｐ１１を容易に載置できないという課題がある。すなわち、使用者が、最上部に排紙トレイを備えた用紙カセットに用紙を載置する作業を容易にできないという課題がある。
【課題を解決するための手段】
【００１０】
本発明は、上述の課題の少なくとも一部を解決するためになされたものであり、以下の形態または適用例として実現することが可能である。
【００１１】
［適用例１］筐体に着脱可能に装着され、第１の記録媒体を載置する第１の載置部を有する記録媒体カセットと、前記第１の載置部に載置された前記第１の記録媒体を給送する給送ローラーと、前記給送ローラーによって給送された前記第１の記録媒体に記録する記録部と、を備え、前記記録媒体カセットは、前記第１の載置部の鉛直方向上側に着脱可能に備えられ、前記記録部から排出された前記第１の記録媒体を載置する記録媒体受け部を備えたことを特徴とする記録装置。
【００１２】
本適用例によれば、記録媒体受け部は、第１の載置部の鉛直方向上側に着脱可能に備えられる。これにより、記録媒体受け部を、第１の載置部から取り外した状態にすれば、第１の載置部が露出するので、使用者は、第１の載置部に第１の記録媒体を容易に載置することができる。
【００１３】
［適用例２］前記記録媒体受け部は、外周部に立設する受け部側壁部を有し、前記第１の載置部は、外周部に立設する載置部側壁部を有し、前記記録媒体受け部が前記第１の載置部に装着された状態において、受け部側壁部と載置部側壁部とは、前記第１の記録媒体の幅方向または給送方向に対向することを特徴とする上記記録装置。
【００１４】
本適用例によれば、受け部側壁部は、載置部側壁部によって、幅方向および給送方向の移動が規制される。これにより、記録媒体受け部が、第１の載置部に対して幅方向および給送方向に移動することを規制できる。
【００１５】
［適用例３］前記記録媒体受け部と前記第１の載置部のうちの一方の端部には突出部が設けられ、他方の端部には凹部が設けられ、前記記録媒体受け部が前記第１の載置部に装着された状態において、前記突出部は、前記凹部に挿入することを特徴とする上記記録装置。
【００１６】
本適用例によれば、記録媒体受け部が、第１の載置部に対して幅方向および給送方向に移動することを規制できる。
【００１７】
［適用例４］前記記録媒体受け部と前記第１の載置部のうちの、一方の端部には磁石が設けられ、他方の端部には、前記磁石と接合可能な鉄部材が設けられたことを特徴とする上記記録装置。
【００１８】
本適用例によれば、記録媒体受け部が、第１の載置部に対して移動することを規制できる。
【００１９】
［適用例５］前記記録媒体受け部は、前記第１の載置部に対して回動可能に設けられたことを特徴とする上記記録装置。
【００２０】
本適用例によれば、記録媒体受け部が、第１の載置部に対して移動することを規制できる。
【００２１】
［適用例６］前記第１の載置部の鉛直方向上側には、第２の記録媒体を載置し、前記第１の載置部と前記記録媒体受け部との間に回動可能に設けられ、前記給送方向における長さが前記第１の載置部より短く、前記第１の載置部において前記給送方向にスライドする第２の載置部を備え、前記第２の載置部が前記給送方向における上流側の位置にあるとき、前記第１の記録媒体は、前記第１の記録媒体に当接する前記給送ローラーによって給送され、前記第２の載置部が前記給送方向における下流側の位置にあるとき、前記第２の記録媒体は、前記第２の記録媒体に当接する前記給送ローラーによって給送されることを特徴とする上記記録装置。
【００２２】
本適用例によれば、記録媒体受け部を、第１の載置部から取り外した状態にすれば、第２の載置部が露出するので、使用者は、第２の載置部に第２の記録媒体を容易に載置することができる。また、下流側の位置にある第２の載置部を回動させれば、第１の載置部が露出する領域を大きくすることができる。そのため、使用者は、第１の載置部に第１の記録媒体を容易に載置することができる。
【図面の簡単な説明】
【００２３】
【図１】プリンターの概略構成を示す模式図。
【図２】用紙カセットの斜視図。
【図３】操作レバーの操作によって、揺動部材が揺動し、摺動部材が移動する機構を説明するための斜視図。
【図４】排出トレイを取り除いた状態における用紙カセットの外観斜視図。
【図５】排出トレイを取り除いた状態における用紙カセットの外観斜視図。
【図６】排出トレイの斜視図。
【図７】（ａ）は、下段トレイを上側から見た斜視図、（ｂ）は、下段トレイに排出トレイを装着した状態を示す斜視図。
【図８】（ａ）は、下段トレイに排出トレイを装着した状態を示す模式図、（ｂ）は、下段トレイと排出トレイとの給送方向の上流側の端部を示す模式図。
【図９】下段トレイの壁部の部分を示す斜視図。
【図１０】（ａ）は、実施形態２における排出トレイの斜視図、（ｂ）は、給送トレイの斜視図、（ｃ）は、排出トレイが給送トレイに装着した状態の用紙カセットの斜視図。
【図１１】（ａ）は、実施形態３における排出トレイの斜視図、（ｂ）は、給送トレイの斜視図。
【図１２】（ａ）は、実施形態４における排出トレイの斜視図、（ｂ）は、給送トレイの斜視図。
【図１３】（ａ）は、実施形態５における排出トレイの斜視図、（ｂ）は、給送トレイの斜視図。
【図１４】（ａ）は、実施形態６における排出トレイの斜視図、（ｂ）、（ｃ）は、用紙カセットの斜視図。
【図１５】従来の用紙カセットの外観斜視図。
【図１６】従来の用紙カセットの外観斜視図。
【発明を実施するための形態】
【００２４】
（実施形態１）
以下、本発明の実施の形態を図面に基づいて説明する。図１（ａ）、（ｂ）は、本発明に係る記録装置の一例であるプリンター１の概略構成を示す模式図である。記録媒体カセットとしての用紙カセット２は、プリンター１の筐体２３の底部に着脱可能に装着される。用紙カセット２は、第１の記録媒体としての用紙Ｐ１を載置する第１の載置部としての下段トレイ３、第２の記録媒体としての用紙Ｐ２を載置する第２の載置部としての上段トレイ４を備える。
【００２５】
用紙Ｐ２は、はがきなどの用紙であり、用紙Ｐ１は、用紙Ｐ２と比較して大きいサイズのＡ４、Ｂ５サイズなどの用紙である。尚、用紙サイズはこれに限定されるものでなく、上段トレイ４に載置される用紙サイズは、下段トレイ３に載置される用紙サイズよりも小さなサイズであれば良い。
【００２６】
上段トレイ４は、下段トレイ３に対して給送方向Ｘにおいてスライド移動する。図１（ａ）は、上段トレイ４が、下段トレイ３に対して給送方向Ｘにおける上流側にあるときを示す。図１（ｂ）は、上段トレイ４が、下段トレイ３に対して給送方向Ｘにおける下流側にあるときを示す。
【００２７】
給送ローラー２２は、揺動軸２０を有して揺動するアーム２１に備えられる。図１（ａ）の上段トレイ４が、下段トレイ３に対して給送方向Ｘにおける上流側にあるとき、給送ローラー２２が回転しながら積層された用紙Ｐ１の最上部に当接することにより、用紙Ｐ１は、給送方向Ｘ下流側に給送される。図１（ｂ）の上段トレイ４が、下段トレイ３に対して給送方向Ｘにおける下流側にあるとき、給送ローラー２２が回転しながら積層された用紙Ｐ２の最上部に当接することにより、用紙Ｐ２は、給送方向Ｘ下流側に給送される。すなわち、上段トレイ４の給送方向Ｘにおける位置によって、用紙Ｐ１または用紙Ｐ２を選択することができる。
【００２８】
傾斜面３００は、下段トレイ３に設けられ、複数の用紙Ｐ１（Ｐ２）が重なって給送されたときに、分離するために設けられる。傾斜面３００を通過した用紙Ｐ１（Ｐ２）は、搬送用駆動ローラー１０と搬送用従動ローラー１１とのローラー対および搬送用駆動ローラー１３と搬送用従動ローラー１４とのローラー対によって搬送経路１２を搬送され、液体としてのインクを噴射する記録ヘッド１６と媒体支持部１７との間に送られる。なお、用紙の重送を防止する防止構造は、プリンター１の装置本体側に設けても良い。
【００２９】
キャリッジ１５は、用紙Ｐ１，Ｐ２の幅方向Ｙ（図面垂直方向）へ延設されたガイド軸（図示せず）に案内されながら移動手段（図示せず）の動力によって幅方向Ｙに往復移動するように構成されている。記録ヘッド１６は、キャリッジ１５に設けられており、インクを用紙Ｐ１，Ｐ２に対して吐出することができるように設けられている。
【００３０】
媒体支持部１７は、記録ヘッド１６と対向する位置に設けられ、用紙Ｐ１，Ｐ２を支持し、用紙Ｐ１，Ｐ２と記録ヘッド１６との間の距離を所定の間隔にすることができるように構成されている。
【００３１】
排出用駆動ローラー１８と排出用従動ローラー１９とのローラー対は、記録ヘッド１６によって記録された用紙Ｐ１，Ｐ２を記録媒体受け部としての排出トレイ５へ送ることができるように設けられている。スタッカー６は、筐体２３に設けられた開口部２４から突出して排出トレイ５に備えられ、排出トレイ５とともに、排出された用紙Ｐ３，Ｐ４を載置する。尚、スタッカー６を設けずに、排出トレイ５のみで構成しても良い。
【００３２】
本実施形態の給送部３０は、揺動軸２０、アーム２１、給送ローラー２２を含んで構成され、記録部４０は、キャリッジ１５、記録ヘッド１６、媒体支持部１７を含んで構成され、排出部５０は、排出用駆動ローラー１８と排出用従動ローラー１９とのローラー対を含んで構成される。尚、本実施形態の記録部４０は、インクを吐出するインクジェット式の記録ヘッド１６を備えたが他の構成でもよい。例えば、トナーを用紙Ｐ１，Ｐ２に付着させ、熱と圧力をかけて用紙Ｐに記録する所謂、レーザープリンターの構成でもよい。
【００３３】
図２（ａ）、（ｂ）は、用紙カセット２の斜視図である。図２（ａ）は、上段トレイ４が下段トレイ３に対して給送方向Ｘ上流側の位置にあるときを示し（図１（ａ）参照）、図２（ｂ）は、上段トレイ４が下段トレイ３に対して給送方向Ｘ下流側の位置にあるときを示す（図１（ｂ）参照）。
【００３４】
図２（ａ）の下段トレイ３の載置面３０８には、用紙Ｐ１が載置される。用紙Ｐ１の幅方向Ｙの両端部の位置は、一対のエッジガイド３０５によって規制され、用紙Ｐ１の給送方向Ｘ上流側の端部の位置は、エッジガイド３０９（図５（ｂ）参照）によって規制される。
【００３５】
図２（ａ）の下段トレイ３の給送方向Ｘ下流側の壁部３０７には、一対の凹部３０４が形成され、図２（ｂ）の上段トレイ４が給送方向Ｘ下流側の位置にあるとき、上段トレイ４の給送方向Ｘ下流側に設けられた一対の突出部４１１が挿入する。
【００３６】
前述したように、下段トレイ３の給送方向Ｘ下流側の壁部３０７には、傾斜面３００が設けられ、図１（ａ）、（ｂ）の給送ローラー２２によって給送されるときに重送された用紙Ｐ１，Ｐ２を分離する。
【００３７】
載置面３０８の鉛直方向Ｚにおける上方（以降は、上方という）には、スライド部４００と、載置部４０１とによって構成される上段トレイ４が位置する。上段トレイ４は、排出トレイ５の排出載置面５０２の鉛直方向Ｚにおける下方（以降は、下方という）に位置する。載置部４０１における、給送方向Ｘにおける上流側の端部４０１ａ、幅方向Ｙにおける両側の端部４０１ｂ，４０１ｃを破線で示す。
【００３８】
載置部４０１は、回動軸Ｓ１を有し、スライド部４００に対して回動可能に連結される。下段トレイ３の幅方向Ｙにおける両側の壁部３０６には、ガイドレール３０１が給送方向Ｘに延設される。また、幅方向Ｙにおける両側の壁部３０６には、給送方向Ｘに延びる開口部３１０が設けられる。
【００３９】
スライド部４００の幅方向Ｙの両側に設けられ、幅方向Ｙの外側に突出する突出部４１０は、開口部３１０を貫通した状態で、ガイドレール３０１と給送方向Ｘに摺動する。このような構成により、載置部４０１は、用紙Ｐ２を水平状態に載置した状態で、給送方向Ｘに移動する。
【００４０】
図２（ｂ）に示すように、上段トレイ４の載置面４０９には、用紙Ｐ２が載置される。用紙Ｐ２における幅方向Ｙの両端部の位置は、一対のエッジガイド４０２によって規制され、用紙Ｐ２の給送方向Ｘ上流側の端部の位置は、開口部５００に露出するエッジガイド４０３によって規制される。
【００４１】
図２（ａ）、（ｂ）の上段トレイ４に設けられた固定部４０７と操作レバー４０８とが、排出トレイ５に設けられた開口部５０１に露出する。固定部４０７は、載置部４０１に固定される。操作レバー４０８は、載置部４０１に対して給送方向Ｘにおいてスライド可能に備えられる。使用者が、固定部４０７と操作レバー４０８とを指で摘むと、揺動部材４０６が揺動し、摺動部材４０４が幅方向Ｙに移動する。
【００４２】
図３は、上述の操作レバー４０８の操作によって、揺動部材４０６が揺動し、摺動部材４０４が移動する機構を説明するための斜視図である。図３は、使用者が、固定部４０７と操作レバー４０８とを指で摘んでいるときの状態を示す。
【００４３】
揺動部材４０６は、一方の端部４０６ｂが摺動部材４０４に設けられた突出部４０４ｂ，４０４ｃによって規制される回動範囲において、回動軸Ｓ２を回動支点として回動可能に備えられる。揺動部材４０６の他方の端部４０６ａは、操作レバー４０８を設けた連結レバー４１２の係合部４１２ａと係合する。
【００４４】
使用者が、図２（ａ）、（ｂ）の固定部４０７と操作レバー４０８とを指で摘むと、操作レバー４０８は、給送方向Ｘ上流側にスライドする。すると、図３の揺動部材４０６は、連結レバー４１２を介して回動軸Ｓ２を回動支点として反時計方向Ｄ１に回動し、揺動部材４０６の端部４０６ｂは、摺動部材４０４に設けられた突出部４０４ｂを幅方向Ｙにおける内側方向Ｙ１に押圧する。
【００４５】
これにより、摺動部材４０４は、内側方向Ｙ１に移動し、摺動部材４０４の端部４０４ａは、図２（ａ）、（ｂ）に示す下段トレイ３の壁部３０６に形成された貫通孔３０２，３０３から離脱した状態になり、上段トレイ４の給送方向Ｘの移動が可能になる。
【００４６】
摺動部材４０４は、バネ部材４０５によって幅方向Ｙにおける外側方向Ｙ２に付勢されている。そのため、使用者が、固定部４０７と操作レバー４０８とを指で摘んでいない状態では、摺動部材４０４は、外側方向Ｙ２に移動し、摺動部材４０４の端部４０４ａが、貫通孔３０２，３０３に挿入し、上段トレイ４の給送方向Ｘにおける移動が規制される。
【００４７】
また、揺動部材４０６の端部４０６ｂが突出部４０４ｂに外側方向Ｙ２に押圧されるので、揺動部材４０６は、時計方向Ｄ２に回動し、操作レバー４０８は、連結レバー４１２を介して給送方向Ｘ下流側にスライドする。
【００４８】
使用者は、固定部４０７を支点として操作レバー４０８を摘んで操作することにより、上段トレイ４を給送方向Ｘに移動させた後、摺動部材４０４の端部４０４ａを、給送方向Ｘ上流側にある貫通孔３０２に貫通させるか、給送方向Ｘ下流側にある貫通孔３０３に貫通させるかによって、下段トレイ３に対する上段トレイ４の位置を規定することができる。
【００４９】
排出トレイ５の排出載置面５０２には、図１（ａ）、（ｂ）の排出用駆動ローラー１８と排出用従動ローラー１９とによって排出された用紙Ｐ３，Ｐ４が載置される。
【００５０】
排出トレイ５の給送方向Ｘの上流側には、板状のスタッカー６がスライド可能に収容され、スタッカー６を排出トレイ５から引き出した状態において、排出された用紙Ｐ３，Ｐ４の給送方向Ｘの上流側を支持することができる。
【００５１】
図４は、図２（ａ）に示す状態から排出トレイ５を取り除いた状態における用紙カセット２の外観斜視図である。図４に示すように、上段トレイ４が給送方向Ｘ上流側の位置にあるとき、使用者は、上段トレイ４の載置面４０９に用紙Ｐ２を載置する。
【００５２】
図５（ａ）は、図２（ｂ）に示した状態から排出トレイ５を取り除いた状態における用紙カセット２の外観斜視図である。図５（ｂ）は、図５（ａ）に示した状態から載置部４０１を、回動軸Ｓ１を支点として回動方向Ｄ３に回動させた状態における用紙カセット２の外観斜視図である。図５（ｂ）に示す状態において、使用者は、下段トレイ３の載置面３０８に用紙Ｐ１を載置する。
【００５３】
図６（ａ）は、排出トレイ５を鉛直方向Ｚにおける上側（以降は、上側という）から見た斜視図であり、図６（ｂ）は、排出トレイ５を鉛直方向Ｚにおける下側（以降は、下側という）から見た斜視図である。スタッカー６は、排出トレイ５にスライド可能に収容されるスライド部６ｂと、スライド部６ｂにスライド可能に収容されるスライド部６ａとから構成される。
【００５４】
排出トレイ５の外周部における下側には、受け部側壁部としての壁部５０３，５０４，５０５，５０６が下方に立設する。壁部５０３，５０６は、幅方向Ｙ両端部における排出トレイ５の外周部において給送方向Ｘに延在する。壁部５０４，５０５は、給送方向Ｘ上流側端部における排出トレイ５の外周部において幅方向Ｙに延在する。
【００５５】
図７（ａ）は、下段トレイ３を上側から見た斜視図である。下段トレイ３の幅方向Ｙ両端部における外周部に形成された壁部３０６は、上方に立設し給送方向Ｘに延在する載置部側壁部としての壁部３０６ａと、給送方向Ｘに延在する段差部３０６ｂとが形成される。
【００５６】
図７（ｂ）は、下段トレイ３に排出トレイ５を装着した状態を示す斜視図であり、上段トレイ４を図示していない。図８（ａ）は、給送方向Ｘ下流側から見た図で、下段トレイ３に排出トレイ５を装着した状態を示す模式図である。
【００５７】
図７（ｂ）の排出トレイ５の壁部５０３，５０６は、下段トレイ３の壁部３０６ａより幅方向Ｙにおいて内側に位置する。すなわち、図８（ａ）の排出トレイ５の壁部５０３は、下段トレイ３の図面左側の壁部３０６ａより幅方向Ｙにおいて図面右側に位置し、排出トレイ５の壁部５０６は、下段トレイ３の図面右側の壁部３０６ａより幅方向Ｙにおいて図面左側に位置する。
【００５８】
このような構成により、排出トレイ５の壁部５０３，５０６は、下段トレイ３の壁部３０６ａによって、幅方向Ｙの移動が規制される。また、壁部５０３，５０６の下側の端部は、段差部３０６ｂに当接し、排出トレイ５の鉛直方向Ｚにおける位置が規定される。
【００５９】
図８（ｂ）は、幅方向Ｙから見た図で、下段トレイ３に排出トレイ５を装着した状態において、下段トレイ３と排出トレイ５との給送方向Ｘの上流側の端部を示す模式図である。図６（ａ）、（ｂ）の排出トレイ５の壁部５０４，５０５は、図７（ａ）の下段トレイ３の壁部３１２より給送方向Ｘにおいて内側に位置する。すなわち、図８（ｂ）の排出トレイ５の壁部５０４，５０５は、下段トレイ３の壁部３１２より給送方向Ｘにおいて下流側に位置する。これにより、排出トレイ５の壁部５０４，５０５は、給送方向Ｘ上流側への移動が規制される。
【００６０】
図９（ａ）は、下段トレイ３の壁部３０６の部分を示す斜視図である。図９（ｂ）は、下段トレイ３に排出トレイ５が装着された状態において、壁部３０６の部分を示す斜視図である。図９（ｂ）の円内は、壁部３０６から幅方向Ｙにおける内側に突出する突出部３１１の部分を拡大した斜視図である。壁部５０６は、突出部３１１によって、給送方向Ｘにおける下流側への移動が規制される。同様に、図７（ｂ）の壁部５０３は、突出部３１１によって、給送方向Ｘにおける下流側への移動が規制される。
【００６１】
以上、本実施形態で説明したプリンター１は、筐体２３に着脱可能に装着され、第１の記録媒体である用紙Ｐ１を載置する第１の載置部としての下段トレイ３を有する記録媒体カセットとしての用紙カセット２と、用紙カセット２に載置された用紙Ｐ１を給送する給送ローラー２２と、給送ローラー２２によって給送された用紙Ｐ１に記録する記録部４０と、を備え、用紙カセット２は、下段トレイ３の鉛直方向Ｚにおける上側に着脱可能に備えられ、記録部４０から排出された用紙Ｐ１を載置する排出トレイ５を備える。
【００６２】
また、用紙カセット２における下段トレイ３の鉛直方向Ｚにおける上側には、第２の記録媒体である用紙Ｐ２を載置し、下段トレイ３と排出トレイ５との間に回動可能に設けられ、給送方向Ｘにおける長さが下段トレイ３より短く、下段トレイ３において給送方向Ｘにスライドする第２の載置部としての上段トレイ４が備られる。上段トレイ４が給送方向Ｘにおける上流側の位置にあるとき、用紙Ｐ１に当接する給送ローラー２２によって用紙Ｐ１が給送され、上段トレイ４が給送方向Ｘにおける下流側の位置にあるとき、用紙Ｐ２に当接する給送ローラー２２によって用紙Ｐ２が給送される。
【００６３】
この構成により、排出トレイ５を、下段トレイ３から取り外した状態にすれば、上段トレイ４が露出するので、使用者は、上段トレイ４に用紙Ｐ２を容易に載置することができる。また、下流側の位置にある上段トレイ４を回動させれば、載置面３０８が露出する領域を大きくすることができる（図５（ｂ）参照）。そのため、使用者は、下段トレイ３に用紙Ｐ１を容易に載置することができる。
【００６４】
また、図６（ｂ）の排出トレイ５は、外周部に立設する受け部側壁部としての壁部５０３，５０６を有し、図７（ａ）の下段トレイ３は、外周部に立設する載置部側壁部としての壁部３０６ａを有し、排出トレイ５が下段トレイ３に装着された状態において、壁部５０３，５０６と壁部３０６ａとは、幅方向Ｙに対向する。
【００６５】
これにより、壁部５０３，５０６は、壁部３０６ａによって、幅方向Ｙの移動が規制される。これにより、排出トレイ５が、下段トレイ３に対して幅方向Ｙに移動することを規制できる。
【００６６】
また、図６（ｂ）の排出トレイ５は、外周部に立設する受け部側壁部としての壁部５０４，５０５を有し、図７（ａ）の下段トレイ３は、外周部に立設する載置部側壁部としての壁部３１２を有し、排出トレイ５が下段トレイ３に装着された状態において、壁部５０４，５０５は、壁部３１２より給送方向Ｘ下流側に位置し、壁部５０４，５０５と壁部３１２とは、給送方向Ｘに対向する。
【００６７】
これにより、壁部５０４，５０５は、壁部３１２によって、給送方向Ｘ上流側への移動が規制される。これにより、排出トレイ５が、下段トレイ３に対して給送方向Ｘ上流側に移動することを規制できる。
【００６８】
（実施形態２）
実施形態１では、排出トレイ５が下段トレイ３に装着された状態において、排出トレイ５の壁部５０３，５０６は、下段トレイ３の壁部３０６ａの内側に位置したが、実施形態２では、排出トレイの壁部が、下段トレイの壁部の外側に位置する用紙カセット（記録媒体カセット）について説明する。
【００６９】
図１０（ａ）は、実施形態２における用紙カセットの記録媒体受け部としての排出トレイ１００を下側から見た斜視図である。排出トレイ１００の幅方向Ｙにおける両側の外周部には、下方に立設し、給送方向Ｘに延在する壁部１０２，１０３が設けられる。
【００７０】
図１０（ｂ）は、実施形態２における用紙カセットの第１の載置部としての給送トレイ１１０を上側から見た斜視図である。実施形態１の用紙カセット２は、上段トレイ４と下段トレイ３とを備えたが、実施形態２における用紙カセットは、給送トレイ１１０のみを備える。
【００７１】
本実施形態２のプリンターには、実施形態１で説明した給送部３０、記録部４０、排出部５０が備えられる。給送トレイ１１０の載置面１１８に載置された用紙Ｐ５は、給送部３０によって記録部４０側に搬送され、記録部４０によって記録された用紙Ｐ５は、排出部５０によって排出トレイ１００の排出載置面１０１に排出される。
【００７２】
図１０（ｂ）のエッジガイド１１６によって幅方向Ｙにおける用紙Ｐ５の端部の位置が規制される。また、エッジガイド１１７によって、給送方向Ｘにおける用紙Ｐ５の端部の位置が規制される。
【００７３】
図１０（ｂ）の給送トレイ１１０の幅方向Ｙにおける両側の外周部には、壁部１１１，１１２が設けられる。壁部１１１，１１２には、上方に立設し、給送方向Ｘに延在する壁部１１１ａ，１１２ａと、段差部１１１ｂ，１１２ｂとが、それぞれ形成される。また、幅方向Ｙにおける外側にそれぞれ突出する突出部１１３ａ，１１３ｂ，１１４ａ，１１４ｂが形成される。
【００７４】
図１０（ｃ）は、排出トレイ１００が給送トレイ１１０に装着した状態の用紙カセット１１９の斜視図である。排出トレイ１００が給送トレイ１１０に装着した状態において、排出トレイ１００の壁部１０２，１０３は、給送トレイ１１０の壁部１１１ａ，１１２ａの幅方向Ｙにおける外側に位置する。そして、壁部１０２と壁部１１１ａとは、幅方向Ｙにおいて対向する。同様に、壁部１０３と壁部１１２ａとは、幅方向Ｙにおいて対向する。これにより、壁部１０２，１０３は、壁部１１１ａ，１１２ａによって、幅方向Ｙの移動が規制される。
【００７５】
また、排出トレイ１００の壁部１０２，１０３は、給送トレイ１１０の段差部１１１ｂ，１１２ｂに当接する。これにより、排出トレイ１００の鉛直方向Ｚの位置が規定される。
【００７６】
給送方向Ｘにおいて、壁部１０２の長さは、突出部１１３ａと突出部１１３ｂの間の距離より短く、略同じ長さに設けられ、壁部１０２は、突出部１１３ａと突出部１１３ｂの間に挿入する。同様に、給送方向Ｘにおいて、壁部１０３の長さは、突出部１１４ａと突出部１１４ｂの間の距離より短く、略同じ長さに設けられ、壁部１０３は、突出部１１４ａと突出部１１４ｂの間に挿入する。
【００７７】
これにより、排出トレイ１００が給送トレイ１１０に装着した状態において、排出トレイ１００の壁部１０２，１０３は、突出部１１３ａ，１１３ｂ，１１４ａ，１１４ｂによって、給送方向Ｘにおける移動が規制される。
【００７８】
以上、本実施形態で説明した用紙カセット１１９は、第１の記録媒体としての用紙Ｐ５を載置する載置面１１８を有する第１の載置部である給送トレイ１１０と、載置面１１８の上方に位置して排出部５０から排出される用紙Ｐ５を載置する排出載置面１０１を有する記録媒体受け部としての排出トレイ１００と、を備え、排出トレイ１００は、給送トレイ１１０に対して着脱可能に備えられる。
【００７９】
この構成により、排出トレイ１００を、給送トレイ１１０から取り外した状態にすれば、載置面１１８が露出するので、使用者は、載置面１１８に用紙Ｐ５を容易に載置することができる。
【００８０】
（実施形態３）
実施形態３では、排出トレイに設けられた突出部と、給送トレイに設けられた穴部とによって、排出トレイを給送トレイに対して着脱可能に備える用紙カセット（記録媒体カセット）について説明する。図１１（ａ）は、実施形態３における用紙カセットの排出トレイ１２０を下側から見た斜視図である。図１１（ｂ）は、実施形態３における用紙カセットの給送トレイ１２３に穴部１２４が設けられた部分を上側から見た斜視図である。
【００８１】
本実施形態３のプリンターには、実施形態１で説明した給送部３０、記録部４０、排出部５０が備えられる。第１の載置部としての給送トレイ１２３に載置された用紙（不図示）は、給送部３０によって記録部４０側に搬送され、記録部４０によって記録された用紙は、排出部５０によって記録媒体受け部としての排出トレイ１２０の排出載置面１２２に排出される。
【００８２】
排出トレイ１２０の外周部には、下方に突出する４個の突出部１２１が設けられる。給送トレイ１２３の外周部の壁部１２５には、排出トレイ１２０が給送トレイ１２３に装着した状態において、突出部１２１が挿入可能な凹部としての穴部１２４が設けられる。これにより、排出トレイ１２０は、給送トレイ１２３に着脱可能に備えられ、給送方向Ｘおよび幅方向Ｙの位置が規制される。
【００８３】
（実施形態４）
実施形態４では、排出トレイに設けられた突出部と、給送トレイに設けられた溝部とによって、排出トレイを給送トレイに対して着脱可能に備える用紙カセット（記録媒体カセット）について説明する。図１２（ａ）は、実施形態４における用紙カセットの排出トレイ１３０を下側から見た斜視図である。図１２（ｂ）は、実施形態４における用紙カセットの給送トレイ１３３に溝部１３４が設けられた部分を上側から見た斜視図である。
【００８４】
本実施形態４のプリンターには、実施形態１で説明した給送部３０、記録部４０、排出部５０が備えられる。第１の載置部としての給送トレイ１３３に載置された用紙（不図示）は、給送部３０によって記録部４０側に搬送され、記録部４０によって記録された用紙は、排出部５０によって記録媒体受け部としての排出トレイ１３０の排出載置面１３２に排出される。
【００８５】
排出トレイ１３０の外周部には、下方に突出し、給送方向Ｘに延在する複数の突出部１３１が設けられる。給送トレイ１３３の外周部の壁部１３５には、排出トレイ１３０が給送トレイ１３３に装着した状態において、突出部１３１が挿入可能な凹部としての溝部１３４が設けられる。これにより、排出トレイ１３０は、給送トレイ１３３に着脱可能に備えられ、給送方向Ｘおよび幅方向Ｙの位置が規制される。
【００８６】
（実施形態５）
実施形態５では、排出トレイに設けられた磁石と、給送トレイに設けられた鉄部材とによって、排出トレイを給送トレイに対して着脱可能に備える用紙カセット（記録媒体カセット）について説明する。図１３（ａ）は、実施形態５における用紙カセットの排出トレイ１４０を下側から見た斜視図である。図１３（ｂ）は、実施形態５における用紙カセットの給送トレイ１４３に鉄部材１４４が設けられた部分を上側から見た斜視図である。
【００８７】
本実施形態５のプリンターには、実施形態１で説明した給送部３０、記録部４０、排出部５０が備えられる。第１の載置部としての給送トレイ１４３に載置された用紙（不図示）は、給送部３０によって記録部４０側に搬送され、記録部４０によって記録された用紙は、排出部５０によって記録媒体受け部としての排出トレイ１４０の排出載置面１４２に排出される。
【００８８】
排出トレイ１４０の外周部には、複数の磁石１４１が設けられ、給送トレイ１４３の外周部の壁部１４５には、磁石１４１と接合可能な鉄部材１４４が設けられる。これにより、排出トレイ１４０は、給送トレイ１４３に着脱可能に備えられ、給送方向Ｘおよび幅方向Ｙの位置が規制される。
【００８９】
（実施形態６）
実施形態６では、排出トレイが、給送トレイに対して回動可能に設けられた用紙カセットについて説明する。図１４（ａ）は、記録媒体受け部としての排出トレイ１５１の斜視図である。排出トレイ１５１の給送方向Ｘ下流側で幅方向Ｙにおける両端部には、一対の円柱状の突出部１５３が設けられる。
【００９０】
図１４（ｂ）、（ｃ）は、排出トレイ１５１を第１の載置部としての給送トレイ１５８に装着した状態での用紙カセット１５０の斜視図である。給送トレイ１５８の載置面１５９には、第１の記録媒体としての用紙Ｐ６が載置される。用紙Ｐ６の幅方向Ｙの両端部は、一対のエッジガイド１５６によって規制される。用紙Ｐ６の給送方向Ｘの上流側の端部は、エッジガイド１５７によって規制される。排出トレイ１５１の排出載置面１５２には、記録されて排出された用紙が載置される。
【００９１】
給送トレイ１５８の幅方向Ｙの両側に形成された壁部１５５には、突出部１５３を回動可能に支持する切り欠き部１５４がそれぞれ設けられる。これにより、図１４（ｃ）の矢印Ｄ４に示すように、排出トレイ１５１は、回動軸Ｓ３を支点として回動可能に備えられる。
【００９２】
切り欠き部１５４の上方は、開放されているので、突出部１５３を、切り欠き部１５４に挿入したり、切り欠き部１５４から離脱することができる。これにより、排出トレイ１５１を給送トレイ１５８に装着したり、離脱したりすることができる。
【００９３】
これにより、排出トレイ１５１が給送トレイ１５８に装着された状態では、排出トレイ１５１が給送方向Ｘに移動することを規制できる。また、排出トレイ１５１が給送トレイ１５８から離脱された状態では、載置面１５９の全体が露出するので、使用者は、容易に用紙Ｐ６を載置面１５９に載置することができる。
【００９４】
本実施形態６のプリンターには、実施形態１で説明した給送部３０、記録部４０、排出部５０が備えられる。本実施形態では、突出部１５３を排出トレイ１５１の給送方向Ｘ下流側に設けたが、切り欠き部１５４を壁部１５５の給送方向Ｘ上流側に設け、突出部１５３を排出トレイ１５１の給送方向Ｘ上流側に設けてもよい。
【符号の説明】
【００９５】
１…プリンター、２，１１９…用紙カセット、３…下段トレイ、４…上段トレイ、５，１００，１２０，１３０，１４０…排出トレイ、１５…キャリッジ、１６…記録ヘッド、１７…媒体支持部、１８…排出用駆動ローラー、１９…排出用従動ローラー、２０…揺動軸、２１…アーム、２２…給送ローラー、２３…筐体、３０…給送部、４０…記録部、５０…排出部、１０１，１２２，１３２，１４２，５０２…排出載置面、１０２，１０３，１１１ａ，１１２ａ，３０６ａ，３１２，５０３〜５０６…壁部、１１０，１２３，１３３，１４３…給送トレイ、１１８，３０８，４０９…載置面、１２１，１３１…突出部、１２４…穴部、１３４…溝部、１４１…磁石、１４４…鉄部材、４００…スライド部、４０１…載置部、Ｐ１〜Ｐ５…用紙、Ｘ…給送方向、Ｙ…幅方向、Ｚ…鉛直方向。
【図１】
2014076883.tif 000003
【図２】
2014076883.tif 000004
【図３】
2014076883.tif 000005
【図４】
2014076883.tif 000006
【図５】
2014076883.tif 000007
【図６】
2014076883.tif 000008
【図７】
2014076883.tif 000009
【図８】
2014076883.tif 000010
【図９】
2014076883.tif 000011
【図１０】
2014076883.tif 000012
【図１１】
2014076883.tif 000013
【図１２】
2014076883.tif 000014
【図１３】
2014076883.tif 000015
【図１４】
2014076883.tif 000016
【図１５】
2014076883.tif 000017
【図１６】
2014076883.tif 000018